(57)【要約】  【課題】複数の負荷のうち、電圧条件の最も厳しい負荷に対しても確実に最適な電圧を供給する給電システム、および給電方法を提供することを目的とする。  【解決手段】フィードバック電圧が目標電圧となるように出力電圧を制御する定電圧電源と、該定電圧電源から複数の負荷に給電する手段と、該各負荷の受電端における、該給電された電圧を検出して演算手段に供給する手段と、該供給された複数の電圧を演算し、演算結果を該フィードバック電圧として該定電圧電源に供給する演算手段とを備えた給電システムであって、該演算手段は、該供給された複数の検出電圧のうち、最小電圧、あるいは最大電圧を該フィードバック電圧として供給する。【選択図】図２
2006174658.tif 000002
【特許請求の範囲】
【請求項１】
フィードバック電圧が目標電圧となるように出力電圧を制御する定電圧電源と、
該定電圧電源から複数の負荷に給電する手段と、
該各負荷の受電端における、該給電された電圧を検出して演算手段に供給する手段と、
該供給された複数の電圧を演算し、演算結果を該フィードバック電圧として該定電圧電源に供給する演算手段とを備えた給電システムであって、
該演算手段は、該供給された複数の検出電圧のうち、
最小電圧を該フィードバック電圧として供給することを特徴とする給電システム。
【請求項２】
フィードバック電圧が目標電圧となるように出力電圧を制御する定電圧電源と、
該定電圧電源から複数の負荷に給電する手段と、
該各負荷の受電端における、該給電された電圧を検出して演算手段に供給する手段と、
該供給された複数の電圧を演算し、演算結果を該フィードバック電圧として該定電圧電源に供給する演算手段とを備えた給電システムであって、
該演算手段は、該供給された複数の検出電圧のうち、
最大電圧を該フィードバック電圧として供給することを特徴とする給電システム。
【請求項３】
フィードバック電圧が目標電圧となるように出力電圧を制御する定電圧電源から複数の負荷に給電し、
該各負荷の受電端における電圧を検出し、
該検出された各受電端における複数の電圧を演算し、
該演算結果を該フィードバック電圧として該定電圧電源に供給する給電方法であって、
該演算結果として、該検出された各電圧のうち、最小電圧を該フィードバック電圧として供給することを特徴とする給電方法。
【請求項４】
フィードバック電圧が目標電圧となるように出力電圧を制御する定電圧電源から複数の負荷に給電し、
該各負荷の受電端における電圧を検出し、
該検出された各受電端における複数の電圧を演算し、
該演算結果を該フィードバック電圧として該定電圧電源に供給する給電方法であって、
該演算結果として、該検出された各電圧のうち、最大電圧を該フィードバック電圧として供給することを特徴とする給電方法。
【発明の詳細な説明】
【技術分野】
【０００１】
本発明は、給電システム、および給電方法に関し、特に、電源から負荷への電源配線の抵抗による電圧降下が問題となる場合の給電システム、および給電方法に関する。
【背景技術】
【０００２】
一つのＤＣ電源から複数の負荷に、目標とする電圧を供給する給電システムが開示されている（特許文献１参照）。
【特許文献１】特開２００３−１６９４７０号公報  特許文献１に記載の給電システムでは、図３に示すごとく、ＤＣ 電源から電源配線の抵抗Ｚ０〜Ｚ４を通して負荷１〜負荷４に給電し、各負荷の受電端における電圧Ｖ１〜Ｖ４を検出し、各検出電圧Ｖ１〜Ｖ４をＤＣ電源にフィードバックする。ＤＣ電源は、フィードバックされた各検出電圧をもとに、以下の処理をおこなって供給する電圧を制御している。
【０００３】
（１）フィードバックされた各検出電圧Ｖ１〜Ｖ４の平均値Ｖａｖを求め、Ｖａｖが目標とする電圧Ｖｔとなるように制御する。
【０００４】
（２）フィードバックされた各検出電圧Ｖ１〜Ｖ４と目標とする電圧Ｖｔとの差の自乗和が、予め決めた値以下となるように制御する。
【０００５】
（３）予め、各負荷の受電端の重み付け係数を定め、フィードバックされた各検出電圧Ｖ１〜Ｖ４と目標とする電圧Ｖｔとの差の自乗に重み付け係数倍した値の和が、予め決めた値以下となるように制御する。
【発明の開示】
【発明が解決しようとする課題】
【０００６】
電池駆動の装置のごとく、消費電力を最小にするため、給電電圧を動作の最低限界値に設定したい、あるいは装置の能力を最大限に発揮するため、装置が破壊しない限界まで給電電圧を高く設定したい、等の要求がある場合には、目標とする電圧Ｖｔを動作限界電圧に設定することが望ましい。
【０００７】
引用文献１に示す、平均値、誤差の自乗和最小化、加重自乗和最小化を目標とする制御方法では、各検出電圧、すなわち各負荷の受電端の電圧Ｖ１〜Ｖ４は、目標とする電圧Ｖｔを中心としてＶｔの上下に分布する。
【０００８】
消費電力を最小にする等の、電圧動作条件の最も厳しい負荷の受電端の電圧を確保する為の方法として、加重自乗和最小化を目標とする制御方法で、電圧動作条件の最も厳しい負荷を選択し、選択された負荷の加重値を１とし、他の負荷の加重値を０とすることで、選択された負荷の受電端の電圧を目標値として制御することも可能である。
【０００９】
しかし一般的な装置においては、動作モードの変動によって各負荷に流れる電流が変動する等の要因により各負荷の受電端の電圧が独立に変動するため、電圧動作条件の最も厳しい負荷は一定しない。したがって、このような要求がある場合には、引用文献１に開示された制御方法は最適とはいえない。
【００１０】
本発明は、一つの電源から複数の負荷に対して給電するシステム、および給電する方法であって、複数の負荷のうち、電圧条件の最も厳しい負荷に対しても確実に最適な電圧を供給する給電システム、および給電方法を提供することを目的とする。
【課題を解決するための手段】
【００１１】
第一の発明は、フィードバック電圧が目標電圧となるように出力電圧を制御する定電圧電源と、該定電圧電源から複数の負荷に給電する手段と、該各負荷の受電端における、該給電された電圧を検出して演算手段に供給する手段と、該供給された複数の電圧を演算し、演算結果を該フィードバック電圧として該定電圧電源に供給する演算手段とを備えた給電システムであって、該演算手段は、該供給された複数の検出電圧のうち、最小電圧を該フィードバック電圧として供給することを特徴とする。
【００１２】
第二の発明は、フィードバック電圧が目標電圧となるように出力電圧を制御する定電圧電源と、該定電圧電源から複数の負荷に給電する手段と、該各負荷の受電端における、該給電された電圧を検出して演算手段に供給する手段と、該供給された複数の電圧を演算し、演算結果を該フィードバック電圧として該定電圧電源に供給する演算手段とを備えた給電システムであって、該演算手段は、該供給された複数の検出電圧のうち、最大電圧を該フィードバック電圧として供給することを特徴とする。
【００１３】
第三の発明は、フィードバック電圧が目標電圧となるように出力電圧を制御する定電圧電源から複数の負荷に給電し、該各負荷の受電端における電圧を検出し、該検出された各受電端における複数の電圧を演算し、該演算結果を該フィードバック電圧として該定電圧電源に供給する給電方法であって、該演算結果として、該検出された各電圧のうち、最小電圧を該フィードバック電圧として供給することを特徴とする。
【００１４】
第四の発明は、フィードバック電圧が目標電圧となるように出力電圧を制御する定電圧電源から複数の負荷に給電し、該各負荷の受電端における電圧を検出し、該検出された各受電端における複数の電圧を演算し、該演算結果を該フィードバック電圧として該定電圧電源に供給する給電方法であって、該演算結果として、該検出された各電圧のうち、最大電圧を該フィードバック電圧として供給することを特徴とする。
【発明の効果】
【００１５】
本発明により、動作モードの変動等によって各負荷に流れる電流が変動し、各負荷の受電電圧がそれぞれ変動する場合であっても、複数の負荷のうち、電圧条件の最も厳しい負荷に対して、確実に最適な電圧を供給することが可能となる。
【発明を実施するための最良の形態】
【００１６】
図１は、本発明による給電システム基本構成を示す。図１において、定電圧電源１から電源配線の抵抗３０、３１、３２、３３、３４を通して負荷４１、４２、４３、４４に給電し、演算手段２は、各負荷の受電端で検出された各検出電圧から目標とすべき電圧Ｖｆを求め、フィードバック電圧として定電圧電源１に供給する。定電圧電源１では、フィードバック電圧Ｖｆが目標電圧ＶｔとなるようにＶ０を制御する。
【実施例１】
【００１７】
図２は、本発明による実施例１を示す。図２においては、図１における演算手段２を、最小値選択手段１２とし、最小値選択手段１２は、各検出電圧Ｖ１〜Ｖ４から最小の電圧Ｖｍｉｎを選択してフィードバック電圧として定電圧電源１に供給する。定電圧電源１では、フィードバック電圧Ｖｍｉｎが目標電圧ＶｔとなるようにＶ０を制御する。
【００１８】
これにより、例えば各負荷の最低動作電圧が１．３Ｖの場合、Ｖｔ＝１．３Ｖとすれば、各負荷の動作モードの変動等により各負荷に流れる電流が変動しても、負荷１〜負荷４のうちの、電圧降下が最も大きい負荷でも１．３Ｖを確保することが可能となる。
【００１９】
同様にして、定電圧電源１には、Ｖｔを装置が破壊しない限界電圧に設定し、演算手段２を最大値選択手段とし、最大値選択手段は、各検出電圧Ｖ１〜Ｖ４から最大の電圧Ｖｍａｘを選択してフィードバック電圧として定電圧電源１に供給する。これにより、定電圧電源１は、フィードバック電圧Ｖｍａｘが目標電圧ＶｔとなるようにＶ０を制御し、装置を破壊することなく、装置の能力を最大限に発揮させることが可能となる。
【産業上の利用可能性】
【００２０】
以上説明したごとく、本発明により、一つの電源から、複数の負荷のうち、電圧条件の最も厳しい負荷に対しても確実に最適な電圧を供給することが可能となる。
【図面の簡単な説明】
【００２１】
【図１】本発明による給電システム基本構成
【図２】給電システム実施例
【図３】従来の給電システム構成例
【符号の説明】
【００２２】
１    定電圧電源
２    演算手段
１２    最小値選択手段
３０、３１、３２、３３、３４    電源配線の抵抗
４１、４２、４３、４４  負荷
【図１】
2006174658.tif 000003
【図２】
2006174658.tif 000004
【図３】
2006174658.tif 000005